(57)【要約】【課題】集積回路の設計において、電源電圧制御対象部の充放電時間・消費電力の見積もりをセル配置完了前の段階で可能にする。【解決手段】高電位側電源ＶＤＤ側の電源経路１０および低電位側電源ＶＳＳ側の電源経路２０につき、それぞれ電源経路１０，２０の幹線部１０ａ，２０ａから分岐された複数の引出し部１１，１２，１３および２１，２２，２３の隣接するものどうし間の間隔が互いに等しく設定され、引出し部１１，１２，１３の分岐位置と引出し部２１，２２，２３の分岐位置とが電源経路長手方向で互いに一致し、引出し部１１，１２，１３の引出し長さは、引出し部２１，２２，２３の引出し長さよりも長く設定され、引出し部１１，１２，１３および２１，２２，２３の幅が互いに等しく、かつ隣接する引出し部どうし間の間隔よりも小さく設定されている。【選択図】　図１
2004111609.tif 000002
【特許請求の範囲】
【請求項１】
高電位側電源側の電源経路および低電位側電源側の電源経路につき、それぞれ電源経路の幹線部から分岐された複数の引出し部の隣接するものどうし間の間隔が互いに等しく設定されていることを特徴とする集積回路設計における電源経路構造。
【請求項２】
前記高電位側電源側の電源経路の複数の引出し部の分岐位置と前記低電位側電源側の電源経路の複数の引出し部の分岐位置とが電源経路長手方向で互いに一致していることを特徴とする請求項１に記載の集積回路設計における電源経路構造。
【請求項３】
前記高電位側電源側の電源経路および前記低電位側電源側の電源経路のいずれにおいても、それぞれ複数の引出し部の引出し長さが等しく設定されていることを特徴とする請求項１または請求項２に記載の集積回路設計における電源経路構造。
【請求項４】
前記高電位側電源側の電源経路の複数の引出し部の引出し長さが、前記低電位側電源側の電源経路の複数の引出し部の引出し長さよりも長く設定されていることを特徴とする請求項３に記載の集積回路設計における電源経路構造。
【請求項５】
前記高電位側電源側の電源経路および前記低電位側電源側の電源経路のいずれにおいても、それぞれの複数の引出し部の幅が互いに等しく、かつ隣接する引出し部どうし間の間隔よりも小さく設定されていることを特徴とする請求項１から請求項４までのいずれかに記載の集積回路設計における電源経路構造。
【発明の詳細な説明】
【０００１】
【発明の属する技術分野】
本発明は、集積回路設計における電源経路構造にかかわり、特には、電源電圧制御対象部の充放電時間・消費電力の見積もりの技術に関する。
【０００２】
【従来の技術】
図５は従来の技術における集積回路設計における電源経路構造を示す平面図である。この図は電源電圧制御対象部を示す。図５において、３０は高電位側電源ＶＤＤ側の電源経路、３０ａは幹線部、３１，３２，３３はそれぞれ幹線部３０ａから分岐された引出し部、４０は低電位側電源ＶＳＳ側の電源経路、４０ａは幹線部、４１，４２，４３はそれぞれ幹線部４０ａから分岐された引出し部である。
【０００３】
高電位側電源ＶＤＤ側の電源経路３０において、隣接する引出し部３１，３２どうし間の間隔ｒ１、隣接する引出し部３２，３３どうし間の間隔ｒ２につき、不一致がある（ｒ１≠ｒ２）。低電位側電源ＶＳＳ側の電源経路４０でも、同様である（ｓ１≠ｓ２）。
【０００４】
また、電源経路長手方向において、引出し部３１，３２，３３の分岐位置と引出し部４１，４２，４３の分岐位置とがずれている。
【０００５】
また、引出し部３１，３２，３３の引出し長さに不均一がある。引出し部４１，４２，４３についても、引出し長さの不均一がある。
【０００６】
また、引出し部の幅につき、引出し部３３は引出し部３１，３２と不一致である。また、引出し部４３の幅は引出し部４１，４２の幅と異なっている。
【０００７】
また、引出し部４１の幅ｔ１に対して、引出し部４１，４２どうし間の間隔ｔ２の方が小さくなっている（ｔ１＞ｔ２）。
【０００８】
このように従来技術においては、電源電圧制御対象部における電源経路の引出し部の形状、寸法の相互関係がまちまちであった。
【０００９】
集積回路の一部または全部の電圧を制御する場合、電源電圧制御対象部の充放電時間を見積もる必要がある。これには、電源経路の幹線部の抵抗値、浮遊容量値、引出し部の抵抗値、浮遊容量値を総合的に勘案して充放電時間を計算する。図５には等価回路としての抵抗、容量を重ね合わせ状態で図示している。
【００１０】
充放電時間の見積もりについて、従来技術では、セル配置が完了し、電源経路が確定した後に見積もりを行っていた。電源経路の引出し部の形状、寸法の相互関係がまちまちであっても、セル配置完了後に見積もりを行うので、その見積もりは可能であった。逆に言うと、セル配置完了後に見積もりを行う関係で、引出し部の形状、寸法の相互関係については、まちまちであっても構わなかったということである。
【００１１】
【特許文献１】
特許第２９１２１７４号公報（第３頁、図１）
【００１２】
【発明が解決しようとする課題】
しかしながら、近年は、システムの急速な高性能化・高機能化が進んでおり、これに伴って、充放電時間・消費電力の見積もりについても、これを設計の早期段階で行えるようにすることが要望されている。
【００１３】
本発明は、このような事情に鑑みて創作されたものであり、上記の要望に応えるべく、集積回路の設計において、電源電圧制御対象部の充放電時間・消費電力の見積もりをセル配置完了前の段階で可能にすることを目的としている。
【００１４】
【課題を解決するための手段】
上記の課題を解決するために、本発明による集積回路設計における電源経路構造は、高電位側電源側の電源経路においても、低電位側電源側の電源経路においても、電源経路の幹線部から分岐された複数の引出し部の隣接するものどうし間の間隔について、それぞれを互いに等しく設定してある。
【００１５】
これによれば、隣接する引出し部どうし間にある幹線部要素のすべてにつき、各幹線部要素の抵抗値および浮遊容量値のそれぞれが一定の値（規格値）になるため、電源電圧制御対象部の充放電時間・消費電力をセル配置完了前に見積もることを有利に進めることができる。
【００１６】
上記において好ましい態様は、前記高電位側電源側の電源経路の複数の引出し部の分岐位置と前記低電位側電源側の電源経路の複数の引出し部の分岐位置とが電源経路長手方向で互いに一致していることである。
【００１７】
これによれば、高電位側電源側の電源経路の引出し部の存在が低電位側電源側の電源経路の幹線部要素および引出し部の浮遊容量値に与える影響、ならびに低電位側電源側の電源経路の引出し部の存在が高電位側電源側の電源経路の幹線部要素および引出し部の浮遊容量値に与える影響を均等化することができ、電源電圧制御対象部の充放電時間・消費電力をセル配置完了前に見積もることを有利に進めることができる。
【００１８】
また、上記において好ましい態様は、前記高電位側電源側の電源経路においても、前記低電位側電源側の電源経路においても、それぞれ複数の引出し部の引出し長さが等しく設定されていることである。
【００１９】
これによれば、引出し部における抵抗値および浮遊容量値をすべての引出し部において互いに等しくすることができ、電源電圧制御対象部の充放電時間・消費電力をセル配置完了前に見積もることを有利に進めることができる。
【００２０】
また、上記において好ましい態様は、前記高電位側電源側の電源経路の複数の引出し部の引出し長さが、前記低電位側電源側の電源経路の複数の引出し部の引出し長さよりも長く設定されていることである。
【００２１】
これによれば、引出し部がもつ抵抗値および浮遊容量値につき、高電位側電源側の電源経路と低電位側電源側の電源経路とで明確な区別がつき、電源電圧制御対象部の充放電時間・消費電力をセル配置完了前に見積もることを有利に進めることができる。
【００２２】
また、上記において好ましい態様は、前記高電位側電源側の電源経路および前記低電位側電源側の電源経路のいずれにおいても、それぞれの複数の引出し部の幅が互いに等しく、かつ隣接する引出し部どうし間の間隔よりも小さく設定されていることである。
【００２３】
これによれば、引出し部がもつ抵抗値および浮遊容量値を均等化し、電源電圧制御対象部の充放電時間・消費電力をセル配置完了前に見積もることを有利に進めることができる。
【００２４】
【発明の実施の形態】
以下、本発明にかかわる集積回路設計における電源経路構造の実施の形態について図面に基づいて説明する。
【００２５】
（実施の形態１）
図１は本発明の実施の形態１における集積回路設計における電源経路構造を示す平面図である。
【００２６】
図１において、１０は高電位側電源ＶＤＤ側の電源経路、１０ａは幹線部、１１，１２，１３はそれぞれ幹線部１０ａから分岐された引出し部、２０は低電位側電源ＶＳＳ側の電源経路、２０ａは幹線部、２１，２２，２３はそれぞれ幹線部２０ａから分岐された引出し部である。
【００２７】
高電位側電源ＶＤＤ側の電源経路１０の引出し部１１，１２，１３は、その分岐位置の間隔（ピッチ）Ｐ１，Ｐ２が互いに等しくなっている（Ｐ１＝Ｐ２）。同様に、低電位側電源ＶＳＳ側の電源経路２０の引出し部２１，２２，２３は、その分岐位置の間隔（ピッチ）Ｑ１，Ｑ２が互いに等しくなっている（Ｑ１＝Ｑ２）。
【００２８】
換言すると、引出し部の分岐位置の間隔が、高電位側電源ＶＤＤ側でも低電位側電源ＶＳＳ側でも一定となっている。さらに、図示例では、Ｐ１＝Ｐ２＝Ｑ１＝Ｑ２となっている。
【００２９】
なお、本実施の形態においては、引出し部の引出し長さ関係については、ＶＤＤ側の電源経路とＶＳＳ側の電源経路とで大小関係を問うものではなく、また、同じ電源経路での複数の引出し部どうし間での引出し長さの大小関係を問うものでもない。
【００３０】
本実施の形態によれば、電源経路の引出し部を等間隔としており、隣接する引出し部どうし間にある幹線部要素１０ａ１，１０ａ２または２０ａ１，２０ａ２につき、各幹線部要素の抵抗値および浮遊容量値のそれぞれが一定の値（規格値）になるため、電源電圧制御対象部の充放電時間・消費電力をセル配置完了前に見積もることを有利に進めることができる。
【００３１】
（実施の形態２）
図２は本発明の実施の形態２における集積回路設計における電源経路構造を示す平面図である。
【００３２】
本実施の形態においては、電源経路長手方向において、高電位側電源ＶＤＤ側の電源経路１０の引出し部１１，１２，１３の分岐位置と、低電位側電源ＶＳＳ側の電源経路２０の引出し部２１，２２，２３の分岐位置とが一致している。その他の構成については実施の形態１の場合の図１と同様であるので、同一部分に同一符号を付すにとどめ、説明を省略する。
【００３３】
なお、本実施の形態においては、引出し部の引出し長さ関係については、ＶＤＤ側の電源経路とＶＳＳ側の電源経路とで大小関係を問うものではない。
【００３４】
本実施の形態によれば、高電位側電源ＶＤＤ側の電源経路１０の引出し部１１，１２，１３の存在が低電位側電源ＶＳＳ側の電源経路２０の各幹線部要素２０ａ１，２０ａ２および引出し部２１，２２，２３の浮遊容量値に与える影響を均等化することができる。また、低電位側電源ＶＳＳ側の電源経路２０の引出し部２１，２２，２３の存在が高電位側電源ＶＤＤ側の電源経路１０の幹線部要素１０ａ１，１０ａ２および引出し部１１，１２，１３の浮遊容量値に与える影響を均等化することができる。その結果、電源電圧制御対象部の充放電時間・消費電力をセル配置完了前に見積もることを有利に進めることができる。
【００３５】
（実施の形態３）
図３は本発明の実施の形態３における集積回路設計における電源経路構造を示す平面図である。
【００３６】
本実施の形態においては、引出し部の引出し長さ関係につき、高電位側電源ＶＤＤ側の電源経路１０の引出し部１１，１２，１３の引出し長さはすべてｄ１で互いに等しく設定され、また、低電位側電源ＶＳＳ側の電源経路２０の引出し部２１，２２，２３の引出し長さはすべてｄ２で互いに等しく設定されている。そして、引出し部１１，１２，１３の引出し長さｄ１の方が引出し部２１，２２，２３の引出し長さｄ２よりも長く設定されている（ｄ１＞ｄ２）。その他の構成については実施の形態２の場合の図２と同様であるので、同一部分に同一符号を付すにとどめ、説明を省略する。
【００３７】
本実施の形態によれば、高電位側電源ＶＤＤ側の電源経路１０の引出し部１１，１２，１３がもつ抵抗値および浮遊容量値と、低電位側電源ＶＳＳ側の電源経路２０の引出し部２１，２２，２３がもつ抵抗値および浮遊容量値とにつき、ＶＤＤ側とＶＳＳ側とで明確な区別がつき、電源電圧制御対象部の充放電時間・消費電力をセル配置完了前に見積もることを有利に進めることができる。
【００３８】
なお、本実施の形態においては、実施の形態１，２の構造を備えていることが好ましい。
【００３９】
（実施の形態４）
図４は本発明の実施の形態４における集積回路設計における電源経路構造を示す平面図である。
【００４０】
本実施の形態においては、高電位側電源ＶＤＤ側の電源経路１０において、引出し部１１，１２，１３の幅Ｗ１が引出し部間隔Ｗ２よりも短く設定されている（Ｗ１＜Ｗ２）。また、低電位側電源ＶＳＳ側の電源経路２０においても、引出し部２１，２２，２３の幅Ｗ３が引出し部間隔Ｗ４よりも短く設定されている（Ｗ３＜Ｗ４）。そして、Ｗ１＝Ｗ３、Ｗ２＝Ｗ４を望ましい形態とする。その他の構成については実施の形態３の場合の図３と同様であるので、同一部分に同一符号を付すにとどめ、説明を省略する。
【００４１】
本実施の形態によれば、各引出し部がもつ抵抗値および浮遊容量値を均等化し、電源電圧制御対象部の充放電時間・消費電力をセル配置完了前に見積もることを有利に進めることができる。
【００４２】
なお、本実施の形態においては、実施の形態１，２の構造または実施の形態１，３の構造を備えていることが好ましい。
【００４３】
【発明の効果】
以上のように本発明によると、高電位側電源側の電源経路の複数の引出し部と低電位側電源側の電源経路の複数の引出し部とにつき、間隔、引出し長さ、幅等において均一化をもたらしているので、各電源経路の幹線部要素および引出し部の抵抗値、浮遊容量値を均等化でき、電源電圧制御対象部の充放電時間・消費電力をセル配置完了前に見積もることを有利に進めることができる。
【図面の簡単な説明】
【図１】本発明の実施の形態１における集積回路設計における電源経路構造を示す平面図
【図２】本発明の実施の形態２における集積回路設計における電源経路構造を示す平面図
【図３】本発明の実施の形態３における集積回路設計における電源経路構造を示す平面図
【図４】本発明の実施の形態４における集積回路設計における電源経路構造を示す平面図
【図５】従来の技術における集積回路設計における電源経路構造を示す平面図
【符号の説明】
１０　高電位側電源ＶＤＤ側の電源経路
１０ａ　高電位側電源ＶＤＤ側の電源経路の幹線部
１１，１２，１３　高電位側電源ＶＤＤ側の電源経路の引出し部
２０　低電位側電源ＶＳＳ側の電源経路
２０ａ　低電位側電源ＶＳＳ側の電源経路の幹線部
２１，２２，２３　低電位側電源ＶＳＳ側の電源経路の引出し部
ＶＤＤ：高電位側電源電位
ＶＳＳ：低電位側電源電位
【図１】
2004111609.tif 000003
【図２】
2004111609.tif 000004
【図３】
2004111609.tif 000005
【図４】
2004111609.tif 000006
【図５】
2004111609.tif 000007